(57)【要約】【課題】相関演算で得られた相関値自体を忘却係数のパラメータとして目標調整量への追従を決めて、干渉波をキャンセルすることにより、干渉波の除去精度を向上させる。【解決手段】ＤＳＰ１９は、相関演算で得られた相関信号の相関値を、最大相関値を１として規格化し、その値を忘却係数として重み付け演算を行って出力信号を求め、その位相から１８０度シフトした信号を演算し、現在の干渉抑圧信号に加えて次の干渉抑圧信号を求める演算を行い、かつこの次の干渉抑圧信号を生成するように、ＡＴＴ１５ｃ及びＰＳ１５ｂの調整を行い、さらにこの干渉抑圧信号を方向性結合器１１で受信信号と結合させることで、干渉波をキャンセルする。【選択図】　　　図１
2004048201.tif 000002
【特許請求の範囲】
【請求項１】
第１のアンテナから受信された受信信号を遅延させた後に第２のアンテナから送信するとともに、前記第１のアンテナからの受信信号と前記第２のアンテナから送信される信号との相関演算を行い、該演算結果から前記アンテナ間を回り込む干渉信号を抑圧する干渉抑圧信号を生成する無線中継方法において、
前記相関演算によって得られる相関信号を検知し、該得られた相関信号の絶対値を求め、該絶対値を相関値とする相関値算出工程と、
前記求めた相関値を、所定の相関値を１以下として規格化し、その値を係数として求める係数算出工程と、
前記相関信号を積分して複素数の出力信号を得る複素数算出工程と、
前記得られた出力信号に前記係数で重み付けする重み付け工程と、
前記重み付けされた出力信号を１８０度シフトした出力信号を求めるシフト工程と、
前記シフトされた出力信号を前記干渉抑圧信号に加えて次の干渉抑圧信号を求める信号付加工程とを含むことを特徴とする無線中継方法。
【請求項２】
前記係数算出工程では、最大相関値を前記所定の相関値に設定して、前記求めた相関値を１を超えない範囲で規格化することを特徴とする請求項１に記載の無線中継方法。
【請求項３】
前記係数算出工程では、前記求めた相関値を１から０の範囲内の値に規格化することを特徴とする請求項１または２に記載の無線中継方法。
【請求項４】
前記無線中継方法では、前記干渉抑圧信号が、前記干渉信号成分を含む前記受信信号と同振幅になるように、可変減衰器を調整する減衰調整工程と、
前記同振幅にされた干渉抑圧信号が、前記干渉信号成分を含む前記受信信号と逆位相になるように可変位相器を調整する位相調整工程とをさらに含み、
前記減衰調整工程および位相調整工程では、前記信号付加工程で求められた次の干渉抑圧信号を生成するように、前記可変減衰器及び可変位相器を調整することを特徴とする請求項１〜３の少なくとも一つに記載の無線中継方法。
【発明の詳細な説明】
【０００１】
【発明の属する技術分野】
この発明は、一方のアンテナから受信した希望波を増幅して他方のアンテナから送信することで希望波の中継を行う無線中継方法に関し、特にアンテナ間に回り込む干渉波を抑圧する無線中継方法に関するものである。
【０００２】
【従来の技術】
従来の無線中継方式は、例えば移動体通信などの無線基地局と携帯電話の移動局間において、山岳地域や平野部であってもビル内あるいはトンネル内などの比較的電波の届きにくい場所で用いられている。このような無線中継装置には、符号分割多元接続方式あるいは符号分割多重方式を用いたリピータ装置があり、このリピータ装置は、基地局からの電波が届く、高台やビルの屋上に設置され、対基地局用の送受信アンテナと対移動局用の送受信アンテナを介して基地局と移動局間の希望波の無線中継を行っていた。通常、これらのアンテナは、一方のアンテナから中継送信された電波が他方のアンテナに再受信されないように、十分に離れた場所に設置することが必要となる。
【０００３】
ところが、例えばビル影などの電波の届きにくい場所での対策として、リピータ装置をビルの屋上に設置することがあるが、このような場合には、対基地局用のアンテナと対移動局用のアンテナとを設置スペースの関係から近接した場所に設置したい状況が生じることがある。この状況には、一方のアンテナから送信された電波は、他方のアンテナに受信される、いわゆる電波の回り込みという現象が生じてしまう。このリピータ装置に再受信された電波（干渉波）は、希望波と同一周波数であるため、回り込んだ受信信号は、干渉信号となってリピータ装置の中継に影響を与え、希望波の伝送効率が低下する原因となる。
【０００４】
そこで、この問題を解決するために、従来では、干渉抑圧波を作成して回り込んでくる干渉波をキャンセルするものがあった。この干渉抑圧波を作成するのに必要な情報としては、干渉波伝搬路の位相や振幅の変化量が挙げられ、また干渉波の占有周波数帯域が広帯域の場合には、この干渉波の遅延量の情報も必要となっていた。
【０００５】
このような同一周波数帯域のエコーキャンセラーでは、２つの方向性結合器間に希望波の中継を行う主線系が接続されるとともに、この方向性結合器間に別経路で、干渉波に対して同振幅、逆位相の干渉抑圧波を作成する干渉抑圧部が設けられている。この主線系および別経路には、相関演算器（以下、「ＤＳＰ」という）が接続されており、このＤＳＰは、一方のアンテナからの受信信号と他方のアンテナから送信される信号との相関演算を行って回り込み残差成分を検出し、その検出結果に基づいて干渉抑圧部が干渉抑圧波の位相、振幅の調整を行っている。
【０００６】
すなわち、図６の複素ベクトルの図に示すように、各信号は、直交Ｉ，Ｑ信号として表されており、ＤＳＰは、受信アンテナ側の方向性結合器の出力（希望波＋回り込み干渉波＋送信アンテナ側の方向性接合器と干渉抑圧部を介して出力される信号の合成）である直交Ｉ，Ｑ信号と、送信アンテナ側の方向性結合器の出力（送信アンテナに出力される干渉波の元となる信号）である直交Ｉ，Ｑ信号との複素相関を行うことで、主線系を通る残留相関信号（Ｉ，Ｑ）を検出する。
【０００７】
この調整は、通常フィードバック制御によって行われるため、その適応アルゴリズムでは、目標調整量への追従を決めるためのパラメータとして忘却係数を用いる。そして、このフィードバック制御では、忘却係数を小さく設定すると、目標値へ収束するのに時間がかかるが、より安定した制御が望め、またこの忘却係数を大きく設定すると、収束点に近づく時間は速くなるが、収束点に安定しにくくなるという特徴があった。
【０００８】
そこで、従来では、干渉波伝搬路変動の大きさに合わせて最適な忘却係数を設定する方法があった。しかし、干渉波伝搬路変動は、装置を設置する場所の環境条件により大きく異なり、なかなか一律の忘却係数を決めることは難しいという実状があった。
【０００９】
そこで、装置の起動時やキャンセル動作不良時など収束点に速く近づける時は、大きな値の忘却係数を用いて、収束点に近づいてきた時には、小さな忘却係数に切り替える方法が用いられていた。すなわち、図７のフローチャートに示すように、まず上記のように検出された残留相関信号の絶対値を相関値とする（ステップ１０１）。次に、この相関値と予め設定した閾値であるスレッショホルド値とを比較する（ステップ１０２）。
【００１０】
そして、相関値がスレッショホルド値より大きい範囲の場合には、粗調整用の大きな忘却係数α１を選択し（ステップ１０３）、現在の干渉抑圧信号に残留相関信号の位相から１８０度シフトした値を用いて、次の干渉抑圧信号を生成していた（ステップ１０５）。
【００１１】
また、この相関値がスレッショホルド値より小さい範囲の場合には、微調整用の小さな忘却係数α２を選択し（ステップ１０４）、現在の干渉抑圧信号に残留相関信号の位相から１８０度シフトした値を用いて、次の干渉抑圧信号を生成していた（ステップ１０５）。すなわち、この忘却係数は、α１＞α２となっていた。
【００１２】
【発明が解決しようとする課題】
しかしながら、上記従来例では、この忘却係数を切り替える判定条件によっては、伝搬路の変動によって発生する部分的な極小点に向かい、その結果、干渉波のキャンセルが最適点に収束せず、十分なキャンセル量が確保できなくなってしまうという問題点があった。このため、判定条件が複雑化してしまい、結局キャンセルが最適点に収束するのに時間がかかってしまうことがあった。
【００１３】
この発明は、上記問題点に鑑みなされたもので、相関演算で得られた相関値自体を忘却係数のパラメータとして目標調整量への追従を決めて、干渉波をキャンセルすることにより、干渉波の除去精度を向上することができる無線中継方法を提供することを目的とする。
【００１４】
【課題を解決するための手段】
上記目的を達成するため、この発明の請求項１では、第１のアンテナから受信された受信信号を遅延させた後に第２のアンテナから送信するとともに、前記第１のアンテナからの受信信号と前記第２のアンテナから送信される信号との相関演算を行い、該演算結果から前記アンテナ間を回り込む干渉信号を抑圧する干渉抑圧信号を生成する無線中継方法において、前記相関演算によって得られる相関信号を検知し、該得られた相関信号の絶対値を求め、該絶対値を相関値とする相関値算出工程と、前記求めた相関値を、所定の相関値を１として規格化し、その値を係数として求める係数算出工程と、前記相関信号を積分して複素数の出力信号を得る複素数算出工程と、前記得られた出力信号に前記係数で重み付けする重み付け工程と、前記重み付けされた出力信号を１８０度シフトした出力信号を求めるシフト工程と、前記シフトされた出力信号を前記干渉抑圧信号に加えて次の干渉抑圧信号を求める信号付加工程を含むことを特徴とする無線中継方法が提供される。
【００１５】
この発明によれば、相関演算によって得られた相関信号の相関値を、予め定めた所定の相関値を１以下として規格化し、その値を目標調整量への追従を決めるためのパラメータである忘却係数として目標値の追従を行うことによって、干渉抑圧信号に重み付けを行い、アンテナ間を回りこむ干渉波をキャンセルする。
【００１６】
この発明の請求項２では、上記発明において、前記係数算出工程では、最大相関値を前記所定の相関値に設定して、前記求めた相関値を１を超えない範囲で規格化することを特徴とする。
【００１７】
この発明によれば、最大相関値を１として相関演算によって得られた相関信号の相関値を規格化することで、得られる相関値を、１を超えないパラメータとして忘却係数に設定する。
【００１８】
この発明の請求項３では、上記発明において、前記係数算出工程では、前記求めた相関値を１から０の範囲内の値に規格化することを特徴とする。
【００１９】
この発明によれば、例えば最大相関値を１として、かつ得られる相関値を１から０の範囲内の値に規格化することで、干渉が大きく残っている場合には、相関値が大きく検出されるので、忘却係数も１のほうに近づいて大きくなり、収束状態へ速く制御しようとし、次第に干渉が小さくなってくると、相関値は小さくなるので、それに合わせて忘却係数も０の方に近づいて小さな値になる。
【００２０】
この発明の請求項４では、上記発明において、前記無線中継方法では、前記干渉抑圧信号が、前記干渉信号成分を含む前記受信信号と同振幅になるように、可変減衰器を調整する減衰調整工程と、前記同振幅にされた干渉抑圧信号が、前記干渉信号成分を含む前記受信信号と逆位相になるように可変位相器を調整する位相調整工程とをさらに含み、前記減衰調整工程および位相調整工程では、前記信号付加工程で求められた次の干渉抑圧信号を生成するように、前記可変減衰器及び可変位相器を調整する。
【００２１】
この発明によれば、相関信号を積分して得られた出力信号の絶対値を求め、かつ規格化された忘却係数により重み付け演算を行うとともに、その位相から１８０度シフトした信号を演算し、現在の干渉抑圧信号に加えて次の干渉抑圧信号を求める演算を行うとともに、この求めた次の干渉抑圧信号を生成するように、可変減衰器及び可変位相器の調整を行う。
【００２２】
【発明の実施の形態】
以下に図１から図５の添付図面を参照して、この発明にかかる無線中継方法の好適な実施の形態を説明する。
【００２３】
図１は、この発明にかかる無線中継方法を用いた無線中継装置の一実施例の構成を示す構成図である。図において、この実施例は、例えば符号分割多元接続方式のように自己相関特性に特徴がある信号を用いた場合の構成例であり、増幅部１２と方向性結合器１３との間に遅延回路１８を接続させ、受信信号に１チップ、例えば拡散符号速度が４Ｍｃｈｉｐ／ｓｅｃの場合は２５０ｎｓｅｃ以上の遅延量を与えて、受信信号と干渉信号の相関をなくしている。
【００２４】
この他に、この実施例では、受信信号の入力を制限するスイッチ（ＳＷ）１と、送信信号の出力を制限するスイッチ（ＳＷ）２とを設け、相関演算器（ＤＰＳ）１９によってこれらＳＷ１，２の切り替え制御を行っている。すなわち、ＤＰＳ１９は、図１に示すように、受信アンテナ１０と方向性結合器１１とを接続させるとともに、方向性結合器１３と送信アンテナ１６とを接続させるために、これらＳＷ１，２をオン状態にする切り替え制御を行い、方向性結合器１３から分岐された干渉参照信号（信号▲１▼）と、空間を回り込んだ方向性結合器１１の出力信号（信号▲２▼）とを取り込む。さらに、ＤＰＳ１９は、この信号▲１▼と信号▲２▼との相関演算により、信号▲１▼に対する信号▲２▼の時間差Ａを求める。
【００２５】
また、このＤＰＳ１９は、方向性結合器１３と送信アンテナ１６との接続を断にするために、ＳＷ２をオフ状態にする切り替え制御を行い、上述した信号▲１▼と、干渉抑圧部１５を通過した方向性結合器１１の出力信号（信号▲３▼）とを取り込む。さらに、ＤＰＳ１９は、この信号▲１▼と信号▲３▼との相関演算により、信号▲１▼に対する信号▲３▼の時間差Ｂを求める。
【００２６】
そして、この求めた時間差Ａと時間差Ｂの差Ａ−Ｂが干渉波伝搬路の遅延量になるので、ＤＰＳ１９は、干渉抑圧部１５の遅延回路１５ａをこの遅延量に制御する。すなわち、ＤＰＳ１９は、方向性結合器１１からの入力ラインに対して時間をずらしながら信号を取り込むと、図３に示すように、ある時間で信号▲２▼と信号▲３▼のスペクトルが急峻に立ち上がって相関値が立つ。この信号▲２▼と信号▲３▼の時間差Ｔが干渉波伝搬路の遅延量になる。
【００２７】
したがって、ＤＰＳ１９は、これら時間をモニタし、その時間差分（信号▲２▼の相関値が立った時間から信号▲３▼の相関値が立った時間の差）だけ、遅延回路１５ａを調整して、信号▲３▼を遅延させることで、干渉参照信号を生成する。そして、この干渉参照信号を方向性結合器１１で受信信号に結合させることで、干渉信号をキャンセルする。
【００２８】
なお、干渉抑圧部１５は、この遅延回路１５ａと、可変位相器（ＰＳ）１５ｂと、可変減衰器（ＡＴＴ）１５ｃとから構成されており、ＤＰＳ１９は、このＰＳ１５ｂおよびＡＴＴ１５ｃの設定を可変制御して、入力する干渉参照信号の位相や振幅が、干渉信号と逆位相、同振幅になるように調整している。この他に、ＤＰＳ１９は、増幅部１２の利得の制御も行っている。
【００２９】
また、ＤＰＳ１９は、方向性結合器１１から分岐されて取り込まれた出力信号、すなわち希望波と信号▲２▼と信号▲３▼を合成し、この合成信号である直交Ｉ，Ｑ信号を得るとともに、方向性結合器１３から分岐されて取り込まれた出力信号、すなわち干渉波の元となる信号▲１▼である直交Ｉ，Ｑ信号を得ている。このＤＰＳ１９は、この合成信号である直行Ｉ，Ｑ信号と、信号▲１▼である直交Ｉ，Ｑ信号との複素相関を行って、主線系を通る残留相関信号を生成している（図５の複素ベクトル参照）。
【００３０】
この場合、複素相関演算で得られる相関値は、キャンセル量が小さいとき、つまり回り込み干渉波がまだ大きい場合は大きくなり、また十分なキャンセル量が取れたとき、つまり回り込み干渉波がほとんどなくなった場合は小さくなる。そこで、この実施例では、所定の相関値を１以下の値として規格化し、この値を目標調整量への追従を決めるためのパラメータである忘却係数として設定する。具体例としては、相関値として０．６／１．２／２．４が存在する場合では、０．６／１．２／２．４のいずれか一つを１以下の値、例えば０．８で規格化することを示している。
【００３１】
さらに特化すれば、最大の相関値を１以下の値として規格化し、この値を忘却係数として設定しても良い。具体例としては、相関値として０．６／１．２／２．４が存在する場合では、最大の２．４を１以下の値、例えば０．８で規格化することを示している。
【００３２】
さらに特化すれば、この得られた相関値を１から０の範囲内の値に規格化するのが好ましい。具体例としては、相関値として０．６／１．２／２．４が存在し、かつ１．２を１で規格化した場合においても、２．４を１として忘却係数に設定する。つまり、１以上の忘却係数はすべて１とすることを示している。そして、この忘却係数を用いて干渉抑圧信号に重み付けを行うことで、回り込み干渉波をキャンセルしていくものである。
【００３３】
すなわち、この実施例のＤＳＰ１９では、干渉が大きく残っている場合には、相関値が大きく検出されるので、忘却係数も１に近い大きな値になり、収束状態へ速く制御しようと働く。そして、次第にキャンセル量が大きくなってくると、相関値も１の近辺の値から０の近辺の値にだんだん移行して小さくなるので、それに合わせて忘却係数も小さくなり、ＤＳＰ１９では、収束状態に徐々に近づくように制御しようと働き、極めの細かい安定した追従が行われるようになる。
【００３４】
次に、このＤＳＰ１９によるフィードバック制御アルゴリズムを用いたエコーキャンセルの制御動作を図２のフローチャートに基づいて説明する。図において、ＤＳＰ１９は、まずＳＷ１，ＳＷ２をオン状態にするとともに、方向性結合器１１，１３間の主線系ラインに接続発振が起こらない程度に増幅部１２の利得を下げて、ノイズなどの信号レベルの低い信号の通過を阻止する利得制御を行う。さらに、ＤＳＰ１９は、干渉抑圧部１５のＡＴＴ１５ｃを最大減衰量として、ＡＴＴ１５ｃの信号通過を阻止する。
【００３５】
この状態で、ＤＳＰ１９は、方向性結合器１１から分岐された受信アンテナ１０からの受信信号（希望波と空間を回り込んだ信号▲２▼）および方向性結合器１３から分岐された干渉波の元となる信号▲１▼を取り込み（ステップ２０１）、この信号▲１▼と信号▲２▼との相関演算を行う。
【００３６】
次に、ＤＳＰ１９は、ＳＷ２をオフ状態に切り替え制御して、干渉抑圧部１５のＡＴＴ１５ｃの減衰量をゼロにして、ＡＴＴ１５ｃでの信号通過を可能にする。この状態で、方向性結合器１３から分岐された信号▲１▼と、干渉抑圧部１５を通過した方向性結合器１１の信号▲３▼を取り込む（ステップ２０２）。そして、この信号▲１▼と信号▲３▼との相関演算を行う。ここで、ＤＳＰ１９は、例えばこの信号▲２▼の相関値が立った時間と信号▲３▼の相関が立った時間との時間差を求め、この時間差に基づいて遅延回路１５ａの遅延時間を設定している。
【００３７】
さらに、ＤＳＰ１９は、方向性結合器１１の出力、すなわち希望波と信号▲２▼と信号▲３▼の合成波である直交Ｉ，Ｑ信号と、方向性結合器１３の出力、すなわち干渉波の元となる信号▲１▼である直交Ｉ，Ｑ信号との複素相関を行う（ステップ２０３）。そして、残留相関信号を検出し、その検出された残留相関信号の絶対値を相関値とする（ステップ２０４）。
【００３８】
そして、この実施例では、取りうる最大相関値を１とし、得られた相関値を、１から０の範囲内で規格化して忘却係数μとする（ステップ２０５）。さらに、残留相関信号を１８０度シフトした出力信号を生成し、この出力信号に忘却係数で重み付けを行い、さらにこの出力信号を現在の干渉抑圧信号に加えることで次の干渉抑圧信号を生成する（ステップ２０６）。
【００３９】
つまり、ＤＳＰ１９は、図５のＤＳＰで演算される各信号の複素ベクトルを示すベクトル図に示すように、相関演算で得られた相関信号の相関値を、最大相関値を１として規格化し、その値を忘却係数として重み付け演算を行い、かつその位相から１８０度シフトした出力信号のベクトルを求め、さらにこの出力信号のベクトルを現在の干渉抑圧信号（抑圧波）のベクトルに物理的に合成して、次の干渉抑圧信号を求める。そして、ＤＳＰ１９は、この演算で得られた次の干渉抑圧信号（次の抑圧波）を生成するように、可変減衰器１５ｃと可変位相器１５ｂの制御を行う。このようにして生成された干渉抑圧信号は、干渉波伝搬路の遅延量に調整されて方向性結合器１１に取り込まれ、ここで受信アンテナ１０で受信された受信信号に結合させることで、干渉信号をキャンセルする。
【００４０】
そして、この実施例では、得られる相関値は、キャンセル量が小さいとき、つまり干渉波がまだ大きい場合には相関値が大きくなるので、忘却係数も大きく規格化され、収束状態へ速く制御されることとなり、次第にキャンセル量が大きくなって、十分なキャンセル量がとれたとき、つまり干渉波がほとんどなくなった場合には相関値が小さくなるので、それに合わせて忘却係数も小さくなり、極めの細かい収束状態への制御へと変わり、より安定した追従が行われるようになる。
【００４１】
このように、この実施例では、相関演算で得られた相関値自体を忘却係数のパラメータに設定して目標調整量への追従を決めて、干渉抑制信号を生成し、この干渉抑制信号を干渉信号に結合させることでアンテナ間を回り込む干渉波をキャンセルするので、干渉波の除去精度を向上することができる。
【００４２】
この発明は、これら実施形態に限定されるものではなく、この発明の要旨を逸脱しない範囲で種々の変形実施が可能である。例えば、この実施例では、最大相関値を１として、得られた相関値をこの最大相関値に基づいて規格化するが、この発明はこれに限らず、例えば所定の相関値を１として、得られた相関値をこの所定相関値に基づいて規格化することも可能である。
【００４３】
また、実施例では、ＡＴＴの減衰量を制御して干渉抑圧部の干渉参照信号通過の有無を設定したが、この発明はこれに限らず、スイッチのオン／オフ制御によって信号通過の有無を設定しても良い。
【００４４】
また、この発明の無線中継方法を用いる装置には、例えば図４の構成図に示すように、遅延回路１８の代わりに、増幅部１２と方向性結合器１３間にスイッチ（ＳＷ）３を設けるとともに、このＳＷ３を介して変調信号発振器（ＳＧ）２１が方向性結合器１３へ変調信号を出力する構成にすることも可能である。この場合には、外部からの受信信号の代わりに内部のＳＧ２１から出力される変調信号を用いて、各信号▲１▼〜▲３▼を出力させてこれら信号間での相関演算を行うとともに、これら信号▲１▼〜▲３▼に基づいて、ＤＳＰ１９が残留相関信号を生成することで、上述した実施例と同様の効果を得ることができる。
【００４５】
また、一般的に基地局と移動局間の無線中継に用いられる無線中継装置では、基地局側および移動局側の送受信共用のアンテナと、２つの方向性結合器間の主線系と、ＤＳＰと、干渉抑圧回路とを２組有し、サーキュレータによって一方のアンテナから受信された信号を別々の主線系を介して他方のアンテナから送信しているが、このような構成の無線中継装置にも、この発明の無線中継方法を用いることができる。
【００４６】
【発明の効果】
以上説明したように、この発明の請求項１では、相関演算によって得られた相関信号の相関値自体を予め定めた所定の相関値を１以下として規格化し、係数のパラメータとして目標調整量への追従を行うことによって、干渉抑圧信号の重み付けを行い、この干渉抑圧信号を受信された干渉信号に結合させるので、アンテナ間を回り込む干渉波のキャンセルを行い、干渉波の除去精度を向上することができる。
【００４７】
また、この発明の請求項２、３では、最大相関値を１として相関演算によって得られた相関値を規格化することで、得られる相関値を１を超えないパラメータ、好ましくは１から０の範囲内のパラメータとして忘却係数に設定するので、干渉が大きく残っている場合には、忘却係数も１のほうに近づいて大きくなり、収束状態へ速く制御しようとし、次第に干渉が小さくなってくると、忘却係数は０の方に近づいて小さな値になり、収束状態がきめ細かく追従制御されて、干渉波のキャンセルを行うことができ、干渉波の除去精度を向上することができる。
【００４８】
また、この発明の請求項４では、減衰調整工程および位相調整工程において、前記可変減衰器及び可変位相器を調整して、信号付加工程で求められた次の干渉抑圧信号を生成することができるので、この干渉抑圧信号を受信された干渉信号に結合させてアンテナ間を回り込む干渉波のキャンセルを行い、干渉波の除去精度を向上することができる。
【図面の簡単な説明】
【図１】この発明にかかる無線中継方法を用いた無線中継装置の一実施例の構成を示す構成図である。
【図２】図１に示したＤＳＰによるフィードバック制御アルゴリズムを用いたエコーキャンセルの制御動作を説明するためのフローチャートである。
【図３】図１に示した信号▲２▼と信号▲３▼の遅延時間を示す相関特性の特性図である。
【図４】この発明にかかる無線中継方法を用いた無線中継装置の他の実施例の構成を示す構成図である。
【図５】図１に示したＤＳＰで演算される各信号の複素ベクトルを示すベクトル図である。
【図６】従来例のＤＳＰで演算される各信号の複素ベクトルを示すベクトル図である。
【図７】従来のフィードバック制御アルゴリズムを用いたエコーキャンセルの制御動作を説明するためのフローチャートである。
【符号の説明】
１０　受信アンテナ
１１，１３　方向性結合器
１２　増幅部
１５　干渉抑圧部
１５ａ，１８　遅延回路
１５ｂ　可変位相器
１５ｃ　可変減衰器
１６　送信アンテナ
α１，α２，μ　忘却係数
【図１】
2004048201.tif 000003
【図２】
2004048201.tif 000004
【図３】
2004048201.tif 000005
【図４】
2004048201.tif 000006
【図５】
2004048201.tif 000007
【図６】
2004048201.tif 000008
【図７】
2004048201.tif 000009